(57)【要約】      （修正有）【課題】屋外の防犯灯や街路灯等の電源として使用する太陽光パネルを収容したパネルケースの強度と、支柱の上部に固定した支持台との取付け強度を十分に確保することが可能な太陽光パネル支持台を提供する。【解決手段】支柱２の上部に固定する支柱受け３と支柱受けの上端に傾斜状に固定した支持板４とを有する太陽光パネル支持台１であって、太陽光パネル７とパネルケース６の背面板６ａとの間にリチウム蓄電池を内蔵した蓄電池ケース５を配置すると共に、蓄電池ケース５と同等の平面形状に形成した支持板４をパネルケース６の背面板６ａを介して蓄電池ケース５にボルト締結する。【選択図】図１
0003199591.tif 000002
【実用新案登録請求の範囲】
【請求項１】
支柱の上部に固定する支柱受けと支柱受けの上端に傾斜状に固定した支持板とを有する太陽光パネル支持台であって、太陽光パネルとパネルケースの背面板との間に蓄電池ケースを配置すると共に、蓄電池ケースと同等の平面形状に形成した支持板をパネルケースの背面板を介して蓄電池ケースにボルト締結したことを特徴とする太陽光パネル支持台。
【請求項２】
支持台の支柱受けから上方傾斜方向に張り出した複数の支持アームを支持板に固定したことを特徴とする請求項１記載の太陽光パネル支持台。
【請求項３】
太陽光パネルとパネルケースの背面板との間に蓄電池ケースを配置すると共に、パネルケースの背面板に蓄電池ケースをボルト締結し、支持台の支柱受けから上方傾斜方向に張り出した複数の支持アームをパネルケースの背面板に固定したことを特徴とする太陽光パネル支持台。
【考案の詳細な説明】
【技術分野】
【０００１】
本考案は、屋外の防犯灯や街路灯等の電源として使用する太陽光パネルのパネルケースを支柱の上部に設けた支持台に固定する太陽光パネル支持台に関する。
【背景技術】
【０００２】
近年、防犯灯や街路灯等に使用する電源として、太陽光の照射を受けて発電する太陽光パネルを使用した太陽光発電装置が開発されている。このような太陽光発電装置は、良好な日照条件を確保するために、屋外に立てた支柱の上部に太陽光パネルを固定し、さらにパネルの受光面を広く形成することによって、太陽光を効率的に受光する構成としている。
【０００３】
このような太陽光発電装置の従来技術を参照すると、特許文献１に示すように、支柱の上部に太陽光パネルを固定すると共に、太陽光パネルで発電した電力を支柱の下部に設けた電源装置の鉛蓄電池に蓄電する構成としている。
【０００４】
このような太陽光発電装置に対して、図８に示す装置は、蓄電池を収納した蓄電池ケース２０を支柱２１の下部に設けた構成ではなく、支柱２１の上部に固定したパネルケース２２の背面にネジ２０ａとナット２０ｂで固定した構成を有する。即ち、この装置は、地面に立てた支柱２１の上部に、支持台２３を支持する支柱受け２５を固定すると共に、支柱受け２５の上端に支持板２４を傾斜状に固定し、この支持板２４に太陽光パネル２６を設けたパネルケース２２をネジ２７ａとナット２７ｂで固定した構成としている。
【０００５】
ところが、図８の太陽光発電装置は、上記のように蓄電池ケース２０を支柱２１の上部のパネルケース２２に内蔵した構成としているため、パネルケース２２が受ける重量は大きくなるが、パネルケース２２は軽量化のために薄厚に形成する必要がある。従って、このパネルケース２２に小径の支持板２４をネジ２７ａとナット２７ｂで固定した構成では、台風時の風圧や地震等の揺れ等に対して十分の耐力を発揮することは困難である。このため、風圧や揺れ等に対して安全性を確保するには、太陽光パネル２６を収容したパネルケース２２と支柱２１の上部に固定した支持台２３との取付け強度を強くする必要がある。
【先行技術文献】
【特許文献】
【０００６】
【特許文献１】特開２００４−２００１３４号公報
【考案の概要】
【考案が解決しようとする課題】
【０００７】
本考案は、上記のような事情に鑑みてなされたものであり、屋外の防犯灯や街路灯等の電源として使用する太陽光パネルを収容したパネルケースの強度と支柱の上部に固定した支持台との取付け強度を十分に確保することが可能な太陽光パネル支持台を提供することを目的とする。
【課題を解決するための手段】
【０００８】
上記の目的を達成するために、本考案における請求項１の太陽光パネル支持台は、支柱の上部に固定する支柱受けと支柱受けの上端に傾斜状に固定した支持板とを有する太陽光パネル支持台であって、太陽光パネルとパネルケースの背面板との間にリチウム蓄電池を内蔵した蓄電池ケースを配置すると共に、蓄電池ケースと同等の平面形状に形成した支持板をパネルケースの背面板を介して蓄電池ケースにボルト締結したことを特徴とする。
【０００９】
また、本考案における請求項２の太陽光パネル支持台は、請求項１において、支持台の支柱受けから上方傾斜方向に張り出した複数の支持アームを支持板に固定したことを特徴とする。
【００１０】
さらに、本考案における請求項３の太陽光パネル支持台は、太陽光パネルとパネルケースの背面板との間に蓄電池ケースを配置すると共に、パネルケースの背面板に蓄電池ケースをボルト締結し、支持台の支柱受けから上方傾斜方向に張り出した複数の支持アームをパネルケースの背面板に固定したことを特徴とする。
【考案の効果】
【００１１】
本考案の太陽光パネル支持台は、太陽光パネルとパネルケースの背面板との間にリチウム蓄電池を内蔵した蓄電池ケースを配置したため、従来のように支柱の下部に蓄電池を収容した制御盤を設けるのではなく、支柱の上部のパネルケース内に蓄電池を収納した構成とすることが可能である。これによって、支柱の下部の周りに歩行者の通行の妨げになるような突出部を形成することなく、支柱の意匠性も良好なものとなる。
【００１２】
また、太陽光パネルとパネルケースの背面板との間にリチウム蓄電池を内蔵した蓄電池ケースを配置すると共に、支持台の支持板をパネルケースの背面板を介して蓄電池ケースに固定した構造とすることにより、支持台の支持板はパネルケースの背面板だけではなく、蓄電池ケースという箱体に対して固定した構造となる。
【００１３】
このような構成により、蓄電池ケースは支持台の取付け構造に対する補強部材として機能することにより、軽量化のためにパネルケースが薄厚の場合でも、パネルケースの強度が増し、支持台の取付け強度が増すことによって、台風時の風圧や地震等の揺れ等に対して十分の耐力を発揮することができ、安全性の確保にも有益となる。
【００１４】
また、本考案によれば、蓄電池ケースをパネルケースの背面板に取付けるボルトとナットを、支持台の支持板をパネルケースの背面板に取付けるボルトとナットと兼用することができ、取付け作業の短縮化及び低コスト化を図ることが可能となる。
【００１５】
さらに、支持台の支柱受けから上方傾斜方向に張り出した複数の支持アームを支持板の隅部に固定したことにより、パネルケースは支柱受けに固定された構造に加えて、複数の支持アームに支持された構造となる。このような構成により、太陽光パネル及びパネルケースが大型化した場合でも、台風時の風圧や地震等の揺れ等に対して十分の耐力を発揮することが可能となり、安全性の確保及び複数の支持アームを取付けたことによる意匠性の向上を図ることも可能となる。
【００１６】
さらに、パネルケースの板厚が比較的厚く、パネルケースの剛性が高い場合、上記のように支持板を設けることなく、パネルケースの内側における背面板に蓄電池ケースをボルト締結すると共に、パネルケースの背面板の隅部に支持台の支柱受けから上方傾斜方向に張り出した複数の支持アームを固定することによって、パネルケースの背面板の強度が増し、支持台に対するパネルケースの取付け強度を十分に確保することが可能となる。
【図面の簡単な説明】
【００１７】
【図１】本考案の実施例１における太陽光パネル支持台を支柱に取付けた図であり、(ａ)は背面図、(ｂ)は側面図である。
【図２】本考案の実施例１における太陽光パネル支持台に関する図であり、(ａ)は側面図、(ｂ)は背面図、(ｃ)は(ａ)の部分断面図である。
【図３】本考案の実施例１における大型の太陽光パネルケースを支持する太陽光パネル支持台を示す図であり、(ａ)は背面図、(ｂ)は側面図である。
【図４】本考案の実施例１における大型の太陽光パネルケースを取付けた場合の太陽光パネル支持台に関する図であり、(ａ)は側面図、(ｂ)は背面図、(ｃ)は(ａ)の部分断面図である。
【図５】本考案の実施例１における太陽光パネル支持台に鳥よけ装置を取付けた図であり、(ａ)は背面図、(ｂ)は側面図、(ｃ)は鳥よけ装置の部分拡大斜視図である。
【図６】本考案の実施例２における太陽光パネル支持台を支柱に取付けた図であり、(a)は全体側面図、(ｂ)は地中に打設した基礎管と地上の支柱とを結合した箇所の部分拡大図である。
【図７】本考案の実施例２における太陽光パネル支持台に関する図であり、(ａ)は側面図、(ｂ)は背面図、(ｃ)は(ｂ)を下方から見た図である。
【図８】従来の太陽光パネル支持台を支柱に取付けた図であり、(ａ)は背面図、(ｂ)は側面図である。
【考案を実施するための形態】
【００１８】
本考案の実施例について図面を参照しながら説明する。
【実施例１】
【００１９】
本実施例の太陽光パネル支持台１（以下、「支持台１」と称する）は、図１（ａ）（ｂ）に示すように、地面等に立設した支柱２の上部に固定する管状の支柱受け３と支柱受け３の上端に傾斜状に固定した支持板４とを有する。このような構成において、支持台１の支柱受け３は、支柱２の上部の外周に挿着してボルト等で固定し、この支柱受け３の上端を傾斜状に形成して、その上端に支持板４を固定することにより、支持板４を太陽光に向けた傾斜状に取付けた構成としている。
【００２０】
また、支持板４は後述する蓄電池ケース５と同等の平面形状に形成し、支持板４の上辺の左右の端部及び下辺の左右の端部にボルト穴４ａ（図２（ｃ）参照）を形成した構成としている。
【００２１】
また、図２（ａ）（ｂ）に示すように、パネルケース６には、その前面を覆うように太陽光パネル７を固定すると共に、パネルケース６内の背面板６ａに向かって四方が傾斜状に凹んだ内部空間８を有し、この内部空間８に、リチウム蓄電池（不図示）を内蔵した薄厚箱形状の蓄電池ケース５を収納した構成としている。
【００２２】
また、蓄電池ケース５は背面の上辺と下辺に突出片５ａを有し、各突出片５ａには、上記の支持板４のボルト穴４ａに相対する位置関係でボルト穴５ｂ（図２(ｃ)参照）を形成している。さらに、パネルケース６の背面板６ａにもこれらのボルト穴４ａ、５ｂに相対した位置にボルト穴６ｂ（図２(ｃ)参照）を形成した構成としている。
【００２３】
このような構成において、図２（ｃ）に示すように、蓄電池ケース５側の各ボルト穴５ｂからボルト９を挿入すると共に、各ボルト９をパネルケース６の背面板６ａの各ボルト穴６ｂに挿通し、さらに各ボルト９を支持台１の支持板４の各ボルト穴４ａに挿通してナット１０で固定した構成としている。
【００２４】
ただし、図２（ｃ）に示す構成では、各ボルト９において、蓄電池ケース５側の突出片５ａとパネルケース６の背面板６ａとの間にナット１０ａを介することによって、パネルケース６の背面板６ａと蓄電池ケース５との間に隙間１１を形成した構成としている。
【００２５】
上記の構成において、支持台１の支持板４をパネルケース６の背面板６ａを介して蓄電池ケース５に固定したことにより、支持台１の支持板４はパネルケース６の背面板６ａだけではなく、蓄電池ケース５に対しても固定した構造となる。従って、蓄電池ケース５は支持台１の取付け構造に対する補強部材として機能するため、支持台１の取付け強度を増すことが可能となる。
【００２６】
なお、図１（ａ）に示すように、支柱２にはＬＥＤ照明器具１３を取付けてあり、太陽光パネル７で受光した太陽光を電力に変換して蓄電池ケース５内のリチウム蓄電池に蓄電し、夜間等においてＬＥＤ照明器具１３の電源として使用することが可能である。
【００２７】
また、図３（ａ）に示すように、ＬＥＤ照明器具１３の他に防犯カメラ１６を支柱２に取付けてあり、ＬＥＤ照明器具１３だけの場合よりは多くの電源を必要とするため、太陽光パネル７や蓄電池ケース５内の蓄電池も大型化し、またパネルケース６も大型化して全体重量が大きくなる。
【００２８】
図３（ａ）（ｂ）及び図４（ａ）〜（ｃ）に示す太陽光パネル支持台１は、上記のように支柱２の上部に取付けた支持台１が、より大きい重量となる場合に対処して構成したものである。
【００２９】
ただし、基本的な構成は、図１及び図２に示すものと同様の構造であり、図３（ａ）（ｂ）及び図４（ａ）〜（ｃ）に示す太陽光パネル支持台１もまた、図１及び図２に示すものと同様に構成されている。
【００３０】
ただし、図３（ａ）（ｂ）に示す太陽光パネル支持台１は、太陽光パネル７及びパネルケース６等が大型化した場合の補強構造として、支持台１の支柱受け３から上方傾斜方向に張り出した複数の支持アーム１２を支持板４の隅部に固定した構造としている。なお、図３（ａ）（ｂ）に示す各支持アーム１２は、上方の外側に向けて湾曲に形成することによって、各支持アーム１２の美的な意匠性を向上するようにしている。
【００３１】
このような構成により、パネルケース６は支柱受け３の支持板４に固定された構造に加えて、複数の支持アーム１２に支持された構造となり、太陽光パネル７及びパネルケース６が大型化した場合でも、台風時の風圧や地震等の揺れ等に対して十分の耐力を発揮することができ、安全性の確保及び意匠性の向上を図ることが可能となる。
【００３２】
また、従来から、太陽光パネル７に止まったカラス等の鳥の糞によって、太陽光パネル７の受光量が減退しないように、パネルケース６の上端にカラス等の鳥よけ装置を設けることが行われている。
【００３３】
図５（ａ）〜（ｃ）に示す構造は、従来の鳥よけ装置が複数の棒状の部材をパネルケース６の上端に１個ずつネジ止めする構成であって、取付作業が面倒であることに鑑みて改良されたものである。即ち、その構造は、鳥よけ用の複数の棒部材１４を間隔をあけて固定した取付金具１５を構成し、取付金具１５には予めボルト締結のためのボルト穴１５ａが形成され、この取付金具１５を太陽光パネル７のパネルケース６の上端に沿ってボルト等で固定するようにしたものである。
【００３４】
なお、取付金具１５は、パネルケース６の上端に取付けた状態で各棒部材１４が垂直上方を向くように取付金具１５を折曲した構成としている。このような構成により、鳥よけ用の複数の棒部材１４の取付施工を簡単且つ短時間で行うことが可能となる。
【実施例２】
【００３５】
この実施例は、パネルケース６の板厚が比較的厚く、パネルケース６の剛性が比較的高い場合に適するものである。このような、本実施例の構造は、図６（ａ）（ｂ）及び図７（ａ）〜（ｃ）に示すように、パネルケース６内の背面板６ａに蓄電池ケース５をボルト締結すると共に、パネルケース６の背面板６ａに支柱受け３から上方傾斜方向に張りした複数の支持アーム１２を固定した構成を有するものである。
【００３６】
上記の構成について詳細に述べると、本実施例では、図６（ａ）（ｂ）に示すように、予め地中に打設した基礎管１７の上端にフランジ１７ａと支柱２の下端に設けたフランジ２ａとをボルト１８とナット１９で締結する。こうすることによって、支柱２の立設工事が容易となり、支柱２の取換え施工が可能となる。
【００３７】
また、図７（ａ）〜（ｃ）に示すように、パネルケース６の前面を覆う太陽光パネル７を固定すると共に、パネルケース６内の背面板６ａにリチウム蓄電池（不図示）を内蔵した薄厚箱形状の蓄電池ケース５を固定する。この蓄電池ケース５の固定方法は、蓄電池ケース５の背面の上辺と下辺に設けた突出片５ａをパネルケース６の背面板６ａにボルト９とナット１０で締結するとよい。
【００３８】
さらに、パネルケース６の背面板６ａの外側の略中央に斜め方向に管状の支柱受け３の端部を溶接し、この支柱受け３の下方の外周側部に複数の支持アーム１２を溶接する。また、各支持アーム１２は斜め方向に広げた湾曲形状とし、各支持アーム１２をパネルケース６の背面板６ａの隅部に溶接することによって固定する。そして、支柱受け３を上記の支柱２の上端に装着して、支柱受け３のボルト穴２ｃに挿通したボルト２ｂで固定する。
【００３９】
このような構成によれば、複数の支持アーム１２をパネルケース６の背面板６ａに固定した構造となり、蓄電池ケース５の取付け構造がパネルケース６の内側を補強すると共に、各支持アーム１２の支持構造がパネルケース６の外側を補強することが可能となる。このため、上記の実施例で用いた支持板４を設けなくても、パネルケース６の強度が増し、パネルケース６の取付け強度を十分に確保することが可能となる。
【００４０】
なお、本実施例においても、上記の実施例と同様に、支柱２の途中にＬＥＤ照明器具１３や防犯カメラ１６を取付け、蓄電池ケース５内のリチウム蓄電池に蓄電した電源をＬＥＤ照明器具１３や防犯カメラ１６に使用することが可能となる。また、不図示であるが、上記の実施例と同様に、パネルケース６の上端に鳥よけ用の複数の棒部材１４を設けた取付金具１５を取り付けることも可能である。
【産業上の利用可能性】
【００４１】
本考案の太陽光パネル支持台は、屋外の防犯灯や街路灯等の電源として使用する太陽光パネルを収容したパネルケースの強度と、支柱の上部に固定した支持台との取付け強度を十分に確保すること可能な太陽光パネル支持台として利用可能である。
【符号の説明】
【００４２】
１  太陽光パネル支持台（支持台）
２  支柱
２ａ  フランジ
２ｂ  ボルト
２ｃ  ボルト穴
３  支柱受け
４  支持板
４ａ  ボルト穴
５  蓄電池ケース
５ａ  突出片
５ｂ  ボルト穴
６  パネルケース
６ａ  背面板
６ｂ  ボルト穴
７  太陽光パネル
８  内部空間
９  ボルト
１０、１０ａ  ナット
１１  隙間
１２  支持アーム
１３  ＬＥＤ照明器具
１４  棒部材
１５  取付金具
１５ａ  ボルト穴
１６  防犯カメラ
１７  基礎管
１７ａ  フランジ
１８  ボルト
１９  ナット
【図１】
0003199591.tif 000003
【図２】
0003199591.tif 000004
【図３】
0003199591.tif 000005
【図４】
0003199591.tif 000006
【図５】
0003199591.tif 000007
【図６】
0003199591.tif 000008
【図７】
0003199591.tif 000009
【図８】
0003199591.tif 000010